(57)【要約】  本発明は、データ線が第１のデータ線及び第２のデータ線を含み、第２ｎ＋１行の画素ユニットと第２ｎ＋２行の画素ユニットが同一の走査線に接続され、第２ｎ＋１行の第２ｎ＋１列の画素ユニットが第１のデータ線に接続され、第２ｎ＋１行の第２ｎ＋２列の画素ユニットが第２のデータ線に接続され、第２ｎ＋２行の第２ｎ＋１列の画素ユニットが第２のデータ線に接続され、第２ｎ＋２行の第２ｎ＋２列の画素ユニットが第１のデータ線に接続された液晶表示パネルを提供する。
2019514077.tif 000002
【特許請求の範囲】
【請求項１】
第１のデータ線及び第２のデータ線を含むデータ線と、走査線と、前記データ線と前記走査線との間に設置された画素ユニットと、を含み、
第２ｎ＋１行の画素ユニットと第２ｎ＋２行の画素ユニットが同一の前記走査線に接続され、
第２ｎ＋１行の第２ｎ＋１列の画素ユニットが前記第１のデータ線に接続され、第２ｎ＋１行の第２ｎ＋２列の画素ユニットが前記第２のデータ線に接続され、第２ｎ＋２行の第２ｎ＋１列の画素ユニットが前記第２のデータ線に接続され、第２ｎ＋２行の第２ｎ＋２列の画素ユニットが前記第１のデータ線に接続され、
前記第１のデータ線と前記第２のデータ線がそれぞれ対応する前記画素ユニットの異なる側縁に設置され、
前記第１のデータ線上のデータ信号と、対応する前記第２のデータ線上のデータ信号とは極性が逆であり、
データ線駆動回路をさらに含み、
前記データ線駆動回路が、正極性信号源、負極性信号源、第１段の正極性スイッチトランジスタ、第１段の負極性スイッチトランジスタ、第１段の制御信号線、第２段の正極性スイッチトランジスタ、第２段の負極性スイッチトランジスタ及び第２段の制御信号線を含み、
前記第１段の正極性スイッチトランジスタの入力端子が前記正極性信号源に接続され、前記第１段の正極性スイッチトランジスタの制御端子が前記第１段の制御信号線に接続され、前記第１段の正極性スイッチトランジスタの出力端子が前記第２段の正極性スイッチトランジスタの入力端子に接続され、
前記第１段の負極性スイッチトランジスタの入力端子が前記負極性信号源に接続され、前記第１段の負極性スイッチトランジスタの制御端子が前記第１段の制御信号線に接続され、前記第１段の負極性スイッチトランジスタの出力端子が前記第２段の負極性スイッチトランジスタの入力端子に接続され、
前記第２段の正極性スイッチトランジスタの制御端子が前記第２段の制御線に接続され、前記第２段の正極性スイッチトランジスタの出力端子が前記第１のデータ線に接続され、
前記第２段の負極性スイッチトランジスタの制御端子が前記第２段の制御線に接続され、前記第２段の負極性スイッチトランジスタの出力端子が前記第２のデータ線に接続された液晶表示パネル。
【請求項２】
前記正極性信号源は、少なくとも２つの前記第１段の正極性スイッチトランジスタに対応し、前記負極性信号源は、少なくとも２つの前記第２段の負極性スイッチトランジスタに対応する請求項１に記載の液晶表示パネル。
【請求項３】
各前記第１段の正極性スイッチトランジスタは、少なくとも２つの前記第２段の正極性スイッチトランジスタに対応し、各前記第１段の負極性スイッチトランジスタは、少なくとも２つの前記第２段の負極性スイッチトランジスタに対応する請求項２に記載の液晶表示パネル。
【請求項４】
前記データ線駆動回路は、１つの前記正極性信号源、１つの前記負極性信号源、２つの前記第１段の正極性スイッチトランジスタ、２つの前記第１段の負極性スイッチトランジスタ、２本の前記第１段の制御信号線、６つの第２段の前記正極性スイッチトランジスタ、６つの前記第２段の負極性スイッチトランジスタ及び６本の前記第２段の制御信号線を含む請求項３に記載の液晶表示パネル。
【請求項５】
第１のデータ線及び第２のデータ線を含むデータ線と、走査線と、前記データ線と前記走査線との間に設置された画素ユニットとを含み、
第２ｎ＋１行の画素ユニットと第２ｎ＋２行の画素ユニットが同一の前記走査線に接続され、
第２ｎ＋１行の第２ｎ＋１列の画素ユニットが前記第１のデータ線に接続され、第２ｎ＋１行の第２ｎ＋２列の画素ユニットが前記第２のデータ線に接続され、第２ｎ＋２行の第２ｎ＋１列の画素ユニットが前記第２のデータ線に接続され、第２ｎ＋２行の第２ｎ＋２列の画素ユニットが前記第１のデータ線に接続され、
前記第１のデータ線と前記第２のデータ線がそれぞれ対応する前記画素ユニットの異なる側縁に設置される液晶表示パネル。
【請求項６】
前記第１のデータ線上のデータ信号と、対応する前記第２のデータ線上のデータ信号とは極性が逆である請求項５に記載の液晶表示パネル。
【請求項７】
データ線駆動回路をさらに含み、
前記データ線駆動回路が正極性信号源、負極性信号源、第１段の正極性スイッチトランジスタ、第１段の負極性スイッチトランジスタ、第１段の制御信号線、第２段の正極性スイッチトランジスタ、第２段の負極性スイッチトランジスタ及び第２段の制御信号線を含み、
前記第１段の正極性スイッチトランジスタの入力端子が前記正極性信号源に接続され、前記第１段の正極性スイッチトランジスタの制御端子が前記第１段の制御信号線に接続され、前記第１段の正極性スイッチトランジスタの出力端子が前記第２段の正極性スイッチトランジスタの入力端子に接続され、
前記第１段の負極性スイッチトランジスタの入力端子が前記負極性信号源に接続され、前記第１段の負極性スイッチトランジスタの制御端子が前記第１段の制御信号線に接続され、前記第１段の負極性スイッチトランジスタの出力端子が前記第２段の負極性スイッチトランジスタの入力端子に接続され、
前記第２段の正極性スイッチトランジスタの制御端子が前記第２段の制御線に接続され、前記第２段の正極性スイッチトランジスタの出力端子が前記第１のデータ線に接続され、
前記第２段の負極性スイッチトランジスタの制御端子が前記第２段の制御線に接続され、前記第２段の負極性スイッチトランジスタの出力端子が前記第２のデータ線に接続される請求項５に記載の液晶表示パネル。
【請求項８】
前記正極性信号源は、少なくとも２つの前記第１段の正極性スイッチトランジスタに対応し、前記負極性信号源は、少なくとも２つの前記第２段の負極性スイッチトランジスタに対応する請求項７に記載の液晶表示パネル。
【請求項９】
各前記第１段の正極性スイッチトランジスタは、少なくとも２つの前記第２段の正極性スイッチトランジスタに対応し、各前記第１段の負極性スイッチトランジスタは、少なくとも２つの前記第２段の負極性スイッチトランジスタに対応する請求項８に記載の液晶表示パネル。
【請求項１０】
前記データ線駆動回路は、１つの前記正極性信号源、１つの前記負極性信号源、２つの前記第１段の正極性スイッチトランジスタ、２つの前記第１段の負極性スイッチトランジスタ、２本の前記第１段の制御信号線、６つの第２段の前記正極性スイッチトランジスタ、６つの前記第２段の負極性スイッチトランジスタ及び６本の前記第２段の制御信号線を含む請求項９に記載の液晶表示パネル。
【請求項１１】
液晶表示パネル及びバックライトモジュールを含み、前記液晶表示パネルが、第１のデータ線及び第２のデータ線を含むデータ線と、走査線と、前記データ線と前記走査線との間に設置された画素ユニットとを含み、
第２ｎ＋１行の画素ユニットと第２ｎ＋２行の画素ユニットが同一の前記走査線に接続され、
第２ｎ＋１行の第２ｎ＋１列の画素ユニットが前記第１のデータ線に接続され、第２ｎ＋１行の第２ｎ＋２列の画素ユニットが前記第２のデータ線に接続され、第２ｎ＋２行の第２ｎ＋１列の画素ユニットが前記第２のデータ線に接続され、第２ｎ＋２行の第２ｎ＋２列の画素ユニットが前記第１のデータ線に接続され、
前記第１のデータ線と前記第２のデータ線がそれぞれ対応する前記画素ユニットの異なる側縁に設置される液晶表示装置。
【請求項１２】
前記第１のデータ線上のデータ信号、対応する前記第２のデータ線上のデータ信号とは極性が逆である請求項１１に記載の液晶表示装置。
【請求項１３】
前記液晶表示パネルは、データ線駆動回路をさらに含み、
前記データ線駆動回路が正極性信号源、負極性信号源、第１段の正極性スイッチトランジスタ、第１段の負極性スイッチトランジスタ、第１段の制御信号線、第２段の正極性スイッチトランジスタ、第２段の負極性スイッチトランジスタ及び第２段の制御信号線を含み、
前記第１段の正極性スイッチトランジスタの入力端子が前記正極性信号源に接続され、前記第１段の正極性スイッチトランジスタの制御端子が前記第１段の制御信号線に接続され、前記第１段の正極性スイッチトランジスタの出力端子が前記第２段の正極性スイッチトランジスタの入力端子に接続され、
前記第１段の負極性スイッチトランジスタの入力端子が前記負極性信号源に接続され、前記第１段の負極性スイッチトランジスタの制御端子が前記第１段の制御信号線に接続され、前記第１段の負極性スイッチトランジスタの出力端子が前記第２段の負極性スイッチトランジスタの入力端子に接続され、
前記第２段の正極性スイッチトランジスタの制御端子が前記第２段の制御線に接続され、前記第２段の正極性スイッチトランジスタの出力端子が前記第１のデータ線に接続され、
前記第２段の負極性スイッチトランジスタの制御端子が前記第２段の制御線に接続され、前記第２段の負極性スイッチトランジスタの出力端子が前記第２のデータ線に接続される請求項１１に記載の液晶表示装置。
【請求項１４】
前記正極性信号源は、少なくとも２つの前記第１段の正極性スイッチトランジスタに対応し、前記負極性信号源は、少なくとも２つの前記第２段の負極性スイッチトランジスタに対応する請求項１３に記載の液晶表示装置。
【請求項１５】
各前記第１段の正極性スイッチトランジスタは、少なくとも２つの前記第２段の正極性スイッチトランジスタに対応し、各前記第１段の負極性スイッチトランジスタは、少なくとも２つの前記第２段の負極性スイッチトランジスタに対応する請求項１４に記載の液晶表示装置。
【請求項１６】
前記データ線駆動回路は、１つの前記正極性信号源、１つの前記負極性信号源、２つの前記第１段の正極性スイッチトランジスタ、２つの前記第１段の負極性スイッチトランジスタ、２本の前記第１段の制御信号線、６つの第２段の前記正極性スイッチトランジスタ、６つの前記第２段の負極性スイッチトランジスタ及び６本の前記第２段の制御信号線を含む請求項１５に記載の液晶表示装置。
【発明の詳細な説明】
【技術分野】
【０００１】
本発明は、液晶表示の技術分野に関し、特に液晶表示パネル及び液晶表示装置に関する。
【背景技術】
【０００２】
科学技術の発展につれて、人々は、マルチメディアコンテンツに対する要求がますます高くなっており、例えば、忠実度の高い音楽を聞いたり、解像度の高い映画を見たり、最も魅力的な画面を見たりなどしたい。したがって、マルチメディアコンテンツの表示品質を向上させるために、ユーザは液晶表示パネルに対して高解像度、高輝度、長い視聴時間及び狭額縁などを要求する。
【０００３】
従来の液晶表示パネルは、いずれも１本の走査線で１行の画素を制御するため、高解像度の液晶表示パネルの走査線の数が多くなり、液晶表示パネルを占めた額縁領域も大きくなり、液晶表示パネルの狭額縁設計又はフレームレス設計に影響を与える。
【０００４】
それゆえ、従来技術に存在する問題を解決する液晶表示パネル及び液晶表示装置を提供する必要がある。
【発明の概要】
【０００５】
本発明の実施例は、従来の液晶表示パネル及び液晶表示装置の駆動回路が狭額縁設計又はフレームレス設計に大きな影響を与えるという技術的課題を解決するために、狭額縁設計又はフレームレス設計を上手く実現できる液晶表示パネル及び液晶表示装置を提供する。
【０００６】
本発明の実施例は、第１のデータ線及び第２のデータ線を含むデータ線と、走査線と、前記データ線と前記走査線との間に設置された画素ユニットとを含み、
第２ｎ＋１行の画素ユニットと第２ｎ＋２行の画素ユニットが同一の前記走査線に接続され、
第２ｎ＋１行の第２ｎ＋１列の画素ユニットが前記第１のデータ線に接続され、第２ｎ＋１行の第２ｎ＋２列の画素ユニットが前記第２のデータ線に接続され、第２ｎ＋２行の第２ｎ＋１列の画素ユニットが前記第２のデータ線に接続され、第２ｎ＋２行の第２ｎ＋２列の画素ユニットが前記第１のデータ線に接続され、
前記第１のデータ線と前記第２のデータ線がそれぞれ対応する前記画素ユニットの異なる側縁に設置され、
前記第１のデータ線上のデータ信号と、対応する前記第２のデータ線上のデータ信号とは極性が逆であり、
データ線駆動回路をさらに含み、
前記データ線駆動回路が正極性信号源、負極性信号源、第１段の正極性スイッチトランジスタ、第１段の負極性スイッチトランジスタ、第１段の制御信号線、第２段の正極性スイッチトランジスタ、第２段の負極性スイッチトランジスタ及び第２段の制御信号線を含み、
前記第１段の正極性スイッチトランジスタの入力端子が前記正極性信号源に接続され、前記第１段の正極性スイッチトランジスタの制御端子が前記第１段の制御信号線に接続され、前記第１段の正極性スイッチトランジスタの出力端子が前記第２段の正極性スイッチトランジスタの入力端子に接続され、
前記第１段の負極性スイッチトランジスタの入力端子が前記負極性信号源に接続され、前記第１段の負極性スイッチトランジスタの制御端子が前記第１段の制御信号線に接続され、前記第１段の負極性スイッチトランジスタの出力端子が前記第２段の負極性スイッチトランジスタの入力端子に接続され、
前記第２段の正極性スイッチトランジスタの制御端子が前記第２段の制御線に接続され、前記第２段の正極性スイッチトランジスタの出力端子が前記第１のデータ線に接続され、
前記第２段の負極性スイッチトランジスタの制御端子が前記第２段の制御線に接続され、前記第２段の負極性スイッチトランジスタの出力端子が前記第２のデータ線に接続された液晶表示パネルを提供する。
【０００７】
本発明に係る液晶表示パネルにおいて、前記正極性信号源は少なくとも２つの前記第１段の正極性スイッチトランジスタに対応し、前記負極性信号源は少なくとも２つの前記第２段の負極性スイッチトランジスタに対応する。
【０００８】
本発明に係る液晶表示パネルにおいて、各前記第１段の正極性スイッチトランジスタは、少なくとも２つの前記第２段の正極性スイッチトランジスタに対応し、各前記第１段の負極性スイッチトランジスタは、少なくとも２つの前記第２段の負極性スイッチトランジスタに対応する。
【０００９】
本発明に係る液晶表示パネルにおいて、前記データ線駆動回路は、１つの前記正極性信号源、１つの前記負極性信号源、２つの前記第１段の正極性スイッチトランジスタ、２つの前記第１段の負極性スイッチトランジスタ、２本の前記第１段の制御信号線、６つの第２段の前記正極性スイッチトランジスタ、６つの前記第２段の負極性スイッチトランジスタ及び６本の前記第２段の制御信号線を含む。
【００１０】
本発明の実施例は、第１のデータ線及び第２のデータ線を含むデータ線と、走査線と、前記データ線と前記走査線との間に設置された画素ユニットとを含み、
第２ｎ＋１行の画素ユニットと第２ｎ＋２行の画素ユニットが同一の前記走査線に接続され、
第２ｎ＋１行の第２ｎ＋１列の画素ユニットが前記第１のデータ線に接続され、第２ｎ＋１行の第２ｎ＋２列の画素ユニットが前記第２のデータ線に接続され、第２ｎ＋２行の第２ｎ＋１列の画素ユニットが前記第２のデータ線に接続され、第２ｎ＋２行の第２ｎ＋２列の画素ユニットが前記第１のデータ線に接続され、
前記第１のデータ線と前記第２のデータ線がそれぞれ対応する前記画素ユニットの異なる側縁に設置された液晶表示パネルをさらに提供する。
【００１１】
本発明に係る液晶表示パネルにおいて、前記第１のデータ線上のデータ信号と、対応する前記第２のデータ線上のデータ信号とは極性が逆である。
【００１２】
本発明に係る液晶表示パネルにおいて、前記液晶表示パネルは、データ線駆動回路をさらに含み、
前記データ線駆動回路が正極性信号源、負極性信号源、第１段の正極性スイッチトランジスタ、第１段の負極性スイッチトランジスタ、第１段の制御信号線、第２段の正極性スイッチトランジスタ、第２段の負極性スイッチトランジスタ及び第２段の制御信号線を含み、
前記第１段の正極性スイッチトランジスタの入力端子が前記正極性信号源に接続され、前記第１段の正極性スイッチトランジスタの制御端子が前記第１段の制御信号線に接続され、前記第１段の正極性スイッチトランジスタの出力端子が前記第２段の正極性スイッチトランジスタの入力端子に接続され、
前記第１段の負極性スイッチトランジスタの入力端子が前記負極性信号源に接続され、前記第１段の負極性スイッチトランジスタの制御端子が前記第１段の制御信号線に接続され、前記第１段の負極性スイッチトランジスタの出力端子が前記第２段の負極性スイッチトランジスタの入力端子に接続され、
前記第２段の正極性スイッチトランジスタの制御端子が前記第２段の制御線に接続され、前記第２段の正極性スイッチトランジスタの出力端子が前記第１のデータ線に接続され、
前記第２段の負極性スイッチトランジスタの制御端子が前記第２段の制御線に接続され、前記第２段の負極性スイッチトランジスタの出力端子が前記第２のデータ線に接続される。
【００１３】
本発明に係る液晶表示パネルにおいて、前記液晶表示パネルは、データ線駆動回路をさらに含み、
本発明に係る液晶表示パネルにおいて、前記正極性信号源は少なくとも２つの前記第１段の正極性スイッチトランジスタに対応し、前記負極性信号源は少なくとも２つの前記第２段の負極性スイッチトランジスタに対応する。
【００１４】
本発明に係る液晶表示パネルにおいて、各前記第１段の正極性スイッチトランジスタは、少なくとも２つの前記第２段の正極性スイッチトランジスタに対応し、各前記第１段の負極性スイッチトランジスタは、少なくとも２つの前記第２段の負極性スイッチトランジスタに対応する。
【００１５】
本発明に係る液晶表示パネルにおいて、前記データ線駆動回路は、１つの前記正極性信号源、１つの前記負極性信号源、２つの前記第１段の正極性スイッチトランジスタ、２つの前記第１段の負極性スイッチトランジスタ、２本の前記第１段の制御信号線、６つの第２段の前記正極性スイッチトランジスタ、６つの前記第２段の負極性スイッチトランジスタ及び６本の前記第２段の制御信号線を含む。
【００１６】
本発明の実施例は、液晶表示パネル及びバックライトモジュールを含み、前記液晶表示パネルが、第１のデータ線及び第２のデータ線を含むデータ線と、走査線と、前記データ線と前記走査線との間に設置された画素ユニットとを含み、
第２ｎ＋１行の画素ユニットと第２ｎ＋２行の画素ユニットが同一の前記走査線に接続され、
第２ｎ＋１行の第２ｎ＋１列の画素ユニットが前記第１のデータ線に接続され、第２ｎ＋１行の第２ｎ＋２列の画素ユニットが前記第２のデータ線に接続され、第２ｎ＋２行の第２ｎ＋１列の画素ユニットが前記第２のデータ線に接続され、第２ｎ＋２行の第２ｎ＋２列の画素ユニットが前記第１のデータ線に接続され、
前記第１のデータ線と前記第２のデータ線がそれぞれ対応する前記画素ユニットの異なる側縁に設置された液晶表示装置をさらに提供する。
【００１７】
本発明に係る液晶表示装置において、前記第１のデータ線上のデータ信号と、対応する前記第２のデータ線上のデータ信号とは極性が逆である。
【００１８】
本発明に係る液晶表示装置において、前記液晶表示パネルは、データ線駆動回路をさらに含み、
前記データ線駆動回路が正極性信号源、負極性信号源、第１段の正極性スイッチトランジスタ、第１段の負極性スイッチトランジスタ、第１段の制御信号線、第２段の正極性スイッチトランジスタ、第２段の負極性スイッチトランジスタ及び第２段の制御信号線を含み、
前記第１段の正極性スイッチトランジスタの入力端子が前記正極性信号源に接続され、前記第１段の正極性スイッチトランジスタの制御端子が前記第１段の制御信号線に接続され、前記第１段の正極性スイッチトランジスタの出力端子が前記第２段の正極性スイッチトランジスタの入力端子に接続され、
前記第１段の負極性スイッチトランジスタの入力端子が前記負極性信号源に接続され、前記第１段の負極性スイッチトランジスタの制御端子が前記第１段の制御信号線に接続され、前記第１段の負極性スイッチトランジスタの出力端子が前記第２段の負極性スイッチトランジスタの入力端子に接続され、
前記第２段の正極性スイッチトランジスタの制御端子が前記第２段の制御線に接続され、前記第２段の正極性スイッチトランジスタの出力端子が前記第１のデータ線に接続され、
前記第２段の負極性スイッチトランジスタの制御端子が前記第２段の制御線に接続され、前記第２段の負極性スイッチトランジスタの出力端子が前記第２のデータ線に接続される。
【００１９】
本発明に係る液晶表示装置において、前記正極性信号源は少なくとも２つの前記第１段の正極性スイッチトランジスタに対応し、前記負極性信号源は少なくとも２つの前記第２段の負極性スイッチトランジスタに対応する。
【００２０】
本発明に係る液晶表示装置において、各前記第１段の正極性スイッチトランジスタは、少なくとも２つの前記第２段の正極性スイッチトランジスタに対応し、各前記第１段の負極性スイッチトランジスタは、少なくとも２つの前記第２段の負極性スイッチトランジスタに対応する。
【００２１】
本発明に係る液晶表示装置において、前記データ線駆動回路は、１つの前記正極性信号源、１つの前記負極性信号源、２つの前記第１段の正極性スイッチトランジスタ、２つの前記第１段の負極性スイッチトランジスタ、２本の前記第１段の制御信号線、６つの第２段の前記正極性スイッチトランジスタ、６つの前記第２段の負極性スイッチトランジスタ及び６本の前記第２段の制御信号線を含む。
【００２２】
従来の液晶表示パネル及び液晶表示装置と比較して、本発明の液晶表示パネル及び液晶表示装置は、第１のデータ線及び第２のデータ線の設置により走査線の数を効果的に減少させることにより、液晶表示パネルの狭額縁設計又はフレームレス設計を上手く実現し、従来の液晶表示パネル及び液晶表示装置の駆動回路が狭額縁設計又はフレームレス設計に大きな影響を与えるという技術的課題を解決することができる。
【図面の簡単な説明】
【００２３】
本発明の実施例又は従来技術における技術手段をより明確に説明するために、以下、実施例に使用する必要がある図面を簡単に説明する。以下の説明における図面は、本発明の一部の実施例に過ぎず、当業者にとって、創造的労働をすることなく、これらの図面に基づいて他の図面を得ることもできる。
【００２４】
【図１】本発明に係る液晶表示パネルの好ましい実施例の概略構成図である。
【発明を実施するための形態】
【００２５】
図面における図式に示すとおり、同一のコンポーネント符号は同一のコンポーネントを表す。以下の説明は、例示した本発明の具体的な実施例に基づくものであり、ここに詳述していない本発明の他の具体的な実施例を限定するものとみなすべきではない。
【００２６】
図１を参照すると、図１は本発明に係る液晶表示パネルの好ましい実施例の概略構成図である。この好ましい実施例の液晶表示パネルは、データ線と、走査線と、データ線と走査線との間に設置された画素ユニットと、データ線駆動回路とを含み、該データ線が第１のデータ線及び第２のデータ線を含み、第１のデータ線のデータ信号と、対応する第２のデータ線のデータ信号とは極性が逆である。データ線駆動回路は、第１のデータ線及び第２のデータ線にデータ信号を提供するために用いられる。
【００２７】
第２ｎ＋１行の画素ユニットと第２ｎ＋２行の画素ユニットは、同一の走査線に接続され、第２ｎ＋１行の第２ｎ＋１列の画素ユニットが第１のデータ線に接続され、第２ｎ＋１行の第２ｎ＋２列の画素ユニットは、第２のデータ線に接続され、第２ｎ＋２行の第２ｎ＋１列の画素ユニットは、第２のデータ線に接続され、第２ｎ＋２行の第２ｎ＋２列の画素ユニットは、第１のデータ線に接続される。
【００２８】
第１のデータ線と第２のデータ線は、それぞれ対応する画素ユニットの異なる側縁に設置される。
【００２９】
図１を参照すると、図１におけるデータ線駆動回路は、正極性信号源Ａ１、負極性信号源Ｂ１、第１段の正極性スイッチトランジスタＱ１、Ｑ２、第１段の負極性スイッチトランジスタＱ３、Ｑ４、第１段の制御信号線ａ１、ａ２、第２段の正極性スイッチトランジスタＱ１１、Ｑ１２、Ｑ１３、Ｑ２１、Ｑ２２、Ｑ２３、第２段の負極性スイッチトランジスタＱ３１、Ｑ３２、Ｑ３３、Ｑ４１、Ｑ４２、Ｑ４３及び第２段の制御信号線ａ３、ａ４、ａ５を含む。
【００３０】
第１段の正極性スイッチトランジスタＱ１の入力端子は正極性信号源Ａ１に接続され、第１段の正極性スイッチトランジスタＱ１の制御端子は第１段の制御信号線ａ１に接続され、第１段の正極性スイッチトランジスタＱ１の出力端子は第２段の正極性スイッチトランジスタＱ１１、Ｑ１２、Ｑ１３の入力端子に接続される。
【００３１】
第１段の正極性スイッチトランジスタＱ２の入力端子は正極性信号源Ａ１に接続され、第１段の正極性スイッチトランジスタＱ２の制御端子は第１段の制御信号線ａ２に接続され、第１段の正極性スイッチトランジスタＱ２の出力端子は第２段の正極性スイッチトランジスタＱ２１、Ｑ２２、Ｑ２３の入力端子に接続される。
【００３２】
第１段の負極性スイッチトランジスタＱ３の入力端子は負極性信号源Ｂ１に接続され、第１段の負極性スイッチトランジスタＱ３の制御端子は第１段の制御信号線ａ２に接続され、第１段の負極性スイッチトランジスタＱ３の出力端子は第２段の負極性スイッチトランジスタＱ３１、Ｑ３２、Ｑ３３の入力端子に接続される。
【００３３】
第１段の負極性スイッチトランジスタＱ４の入力端子は負極性信号源Ｂ１に接続され、第１段の負極性スイッチトランジスタＱ４の制御端子は第１段の制御信号線ａ２に接続され、第１段の負極性スイッチトランジスタＱ４の出力端子は第２段の負極性スイッチトランジスタＱ４１、Ｑ４２、Ｑ４３の入力端子に接続される。
【００３４】
第２段の正極性スイッチトランジスタＱ１１の制御端子は第２段の制御線ａ３に接続され、第２段の正極性スイッチトランジスタＱ１１の出力端子は第１のデータ線ｄ１に接続される。
【００３５】
第２段の正極性スイッチトランジスタＱ１２の制御端子は第２段の制御線ａ４に接続され、第２段の正極性スイッチトランジスタＱ１２の出力端子は第１のデータ線ｄ４に接続される。
【００３６】
第２段の正極性スイッチトランジスタＱ１３の制御端子は第２段の制御線ａ５に接続され、第２段の正極性スイッチトランジスタＱ１３の出力端子は第１のデータ線ｄ５に接続される。
【００３７】
第２段の正極性スイッチトランジスタＱ２１の制御端子は第２段の制御線ａ３に接続され、第２段の正極性スイッチトランジスタＱ２１の出力端子は第１のデータ線ｄ８に接続される。
【００３８】
第２段の正極性スイッチトランジスタＱ２２の制御端子は第２段の制御線ａ４に接続され、第２段の正極性スイッチトランジスタＱ２２の出力端子は第１のデータ線ｄ９に接続される。
【００３９】
第２段の正極性スイッチトランジスタＱ２３の制御端子は第２段の制御線ａ５に接続され、第２段の正極性スイッチトランジスタＱ２３の出力端子は第１のデータ線ｄ１２に接続される。
【００４０】
第２段の負極性スイッチトランジスタＱ３１の制御端子は第２段の制御線ａ３に接続され、第２段の負極性スイッチトランジスタＱ３１の出力端子は第２のデータ線ｄ２に接続される。
【００４１】
第２段の負極性スイッチトランジスタＱ３２の制御端子は第２段の制御線ａ４に接続され、第２段の負極性スイッチトランジスタＱ３２の出力端子は第２のデータ線ｄ３に接続される。
【００４２】
第２段の負極性スイッチトランジスタＱ３３の制御端子は第２段の制御線ａ５に接続され、第２段の負極性スイッチトランジスタＱ３３の出力端子は第２のデータ線ｄ６に接続される。
【００４３】
第２段の負極性スイッチトランジスタＱ４１の制御端子は第２段の制御線ａ３に接続され、第２段の負極性スイッチトランジスタＱ４１の出力端子は第２のデータ線ｄ７に接続される。
【００４４】
第２段の負極性スイッチトランジスタＱ４２の制御端子は第２段の制御線ａ４に接続され、第２段の負極性スイッチトランジスタＱ４２の出力端子は第２のデータ線ｄ１０に接続される。
【００４５】
第２段の負極性スイッチトランジスタＱ４３の制御端子は第２段の制御線ａ５に接続され、第２段の負極性スイッチトランジスタＱ４３の出力端子は第２のデータ線ｄ１１に接続される。
【００４６】
この好ましい実施例の液晶表示パネルは、画面表示を行う場合、まず、走査線Ｇ１がハイレベル信号を入力し、第１行及び第２行の画素ユニットの薄膜トランジスタがオンになる。
【００４７】
走査線Ｇ１がハイレベル信号を入力する時間帯において、まず、第１の制御信号線ａ１及び第２の制御信号線ａ３はハイレベルを入力し、このようにして、第２段の正極性スイッチトランジスタＱ１１、第１段の正極性スイッチトランジスタＱ１、第２段の負極性スイッチトランジスタＱ３１及び第１段の負極性スイッチトランジスタＱ３はオンになる。第１行の第１列の画素ユニットは、第１のデータ線ｄ１、第２段の正極性スイッチトランジスタＱ１１及び第１段の正極性スイッチトランジスタＱ１を介して正極性信号源Ａ１に接続される。第２行の第１列の画素ユニットは、第２のデータ線ｄ２、第２段の負極性スイッチトランジスタＱ３１及び第１段の負極性スイッチトランジスタＱ３を介して負極性信号源Ｂ１に接続される。
【００４８】
続いて、第１の制御信号線ａ１及び第２の制御信号線ａ４はハイレベルを入力し、第２の制御信号線ａ３はローレベルを入力し、このようにして、第２段の正極性スイッチトランジスタＱ１２、第１段の正極性スイッチトランジスタＱ１、第２段の負極性スイッチトランジスタＱ３１及び第１段の負極性スイッチトランジスタＱ３はオンになる。第２行の第２列の画素ユニットは、第１のデータ線ｄ４、第２段の正極性スイッチトランジスタＱ１２及び第１段の正極性スイッチトランジスタＱ１を介して正極性信号源Ａ１に接続される。第１行の第２列の画素ユニットは、第２のデータ線ｄ３、第２段の負極性スイッチトランジスタＱ３２及び第１段の負極性スイッチトランジスタＱ３を介して負極性信号源Ｂ１に接続される。
【００４９】
次に、第１の制御信号線ａ１及び第２の制御信号線ａ５がハイレベルを入力し、第２の制御信号線ａ４がローレベルを入力し、このようにして第２段の正極性スイッチトランジスタＱ１３、第１段の正極性スイッチトランジスタＱ１、第２段の負極性スイッチトランジスタＱ３３及び第１段の負極性スイッチトランジスタＱ３がオンになる。第１行の第３列の画素ユニットは、第１のデータ線ｄ５、第２段の正極性スイッチトランジスタＱ１３及び第１段の正極性スイッチトランジスタＱ１を介して正極性信号源Ａ１に接続される。第２行の第３列の画素ユニットは、第２のデータ線ｄ６、第２段の負極性スイッチトランジスタＱ３３及び第１段の負極性スイッチトランジスタＱ３を介して負極性信号源Ｂ１に接続される。
【００５０】
続いて、第１の制御信号線ａ２及び第２の制御信号線ａ３はハイレベルを入力し、第１の制御信号線ａ１及び第２の制御信号線ａ５はローレベルを入力し、このようにして、第２段の正極性スイッチトランジスタＱ２１、第１段の正極性スイッチトランジスタＱ２、第２段の負極性スイッチトランジスタＱ４１及び第１段の負極性スイッチトランジスタＱ４はオンになる。第２行の第４列の画素ユニットは、第１のデータ線ｄ８、第２段の正極性スイッチトランジスタＱ２１及び第１段の正極性スイッチトランジスタＱ２を介して正極性信号源Ａ１に接続される。第１行の第４列の画素ユニットは、第２のデータ線ｄ７、第２段の負極性スイッチトランジスタＱ４１及び第１段の負極性スイッチトランジスタＱ４を介して負極性信号源Ｂ１に接続される。
【００５１】
続いて、第１の制御信号線ａ２及び第２の制御信号線ａ４はハイレベルを入力し、第２の制御信号線ａ３はローレベルを入力し、このようにして、第２段の正極性スイッチトランジスタＱ２２、第１段の正極性スイッチトランジスタＱ２、第２段の負極性スイッチトランジスタＱ４２及び第１段の負極性スイッチトランジスタＱ４はオンになる。第１行の第５列の画素ユニットは、第１のデータ線ｄ９、第２段の正極性スイッチトランジスタＱ２２及び第１段の正極性スイッチトランジスタＱ２を介して正極性信号源Ａ１に接続される。第２行の第５列の画素ユニットは、第２のデータ線ｄ１０、第２段の負極性スイッチトランジスタＱ４２及び第１段の負極性スイッチトランジスタＱ４を介して負極性信号源Ｂ１に接続される。
【００５２】
続いて、第１の制御信号線ａ２及び第２の制御信号線ａ５はハイレベルを入力し、第２の制御信号線ａ４はローレベルを入力し、このようにして、第２段の正極性スイッチトランジスタＱ２３、第１段の正極性スイッチトランジスタＱ２、第２段の正極性スイッチトランジスタＱ４３及び第１段の正極性スイッチトランジスタＱ４はオンになる。第２行の第６列の画素ユニットは、第１のデータ線ｄ１２、第２段の正極性スイッチトランジスタＱ２３及び第１段の正極性スイッチトランジスタＱ２を介して正極性信号源Ａ１に接続される。第１行の第６列の画素ユニットは、第２のデータ線ｄ１１、第２段の正極性スイッチトランジスタＱ４３及び第１段の正極性スイッチトランジスタＱ４を介して負極性信号源Ｂ１に接続される。
【００５３】
第１行と第２行の画素ユニットの表示が完了すると、走査線Ｇ１がローレベル信号を入力し、走査線Ｇ２がハイレベル信号を入力することにより、第３行と第４行の画素ユニットを画面表示し、さらに全ての画素ユニットに対する表示操作が完了する。
【００５４】
このように、この好ましい実施例の液晶表示パネルの画面表示プロセスが完了する。
【００５５】
この好ましい実施例の液晶表示パネルは、正極性信号源Ａ１及び負極性信号源Ｂ１の２つの信号源により、１フレームの画面での１２個の画素ユニットの画像表示を完了し、次のフレーム画面において、正極性信号源Ａ１と負極性信号源Ｂ１の信号極性を変換するだけで、液晶表示パネルのドット反転操作を実現でき、液晶表示パネルの表示効果を効果的に改善する。
【００５６】
この好ましい実施例の液晶表示パネルは、第１のデータ線及び第２のデータ線の設置により、走査線の数を効果的に減少させることができ、それにより液晶表示パネルの狭額縁設計又はフレームレス設計を上手く実現でき、また、液晶表示パネルのドット反転設置は、液晶表示パネルの表示効果を効果的に改善することができる。
【００５７】
本発明は、さらに液晶表示装置を提供し、この好ましい実施例の液晶表示装置は、液晶表示パネル及びバックライトモジュールを含み、液晶表示パネルがデータ線と、走査線と、データ線と走査線との間に設置された画素ユニットと、データ線駆動回路とを含み、該データ線が第１のデータ線及び第２のデータ線を含み、第１のデータ線のデータ信号と、対応する第２のデータ線のデータ信号とは極性が逆である。データ線駆動回路は、第１のデータ線及び第２のデータ線にデータ信号を提供するために用いられる。
【００５８】
第２ｎ＋１行の画素ユニットと第２ｎ＋２行の画素ユニットは、同一の走査線に接続され、第２ｎ＋１行の第２ｎ＋１列の画素ユニットが第１のデータ線に接続され、第２ｎ＋１行の第２ｎ＋２列の画素ユニットは、第２のデータ線に接続され、第２ｎ＋２行の第２ｎ＋１列の画素ユニットは、第２のデータ線に接続され、第２ｎ＋２行の第２ｎ＋２列の画素ユニットは、第１のデータ線に接続される。
【００５９】
第１のデータ線と第２のデータ線は、それぞれ対応する画素ユニットの異なる側縁に設置される。
【００６０】
好ましくは、第１のデータ線上のデータ信号と、対応する第２のデータ線上のデータ信号とは極性が逆である。
【００６１】
好ましくは、液晶表示パネルは、データ線駆動回路をさらに含み、
データ線駆動回路が正極性信号源、負極性信号源、第１段の正極性スイッチトランジスタ、第１段の負極性スイッチトランジスタ、第１段の制御信号線、第２段の正極性スイッチトランジスタ、第２段の負極性スイッチトランジスタ及び第２段の制御信号線を含み、
第１段の正極性スイッチトランジスタの入力端子が正極性信号源に接続され、第１段の正極性スイッチトランジスタの制御端子が第１段の制御信号線に接続され、第１段の正極性スイッチトランジスタの出力端子が第２段の正極性スイッチトランジスタの入力端子に接続され、
第１段の負極性スイッチトランジスタの入力端子が負極性信号源に接続され、第１段の負極性スイッチトランジスタの制御端子が第１段の制御信号線に接続され、第１段の負極性スイッチトランジスタの出力端子が第２段の負極性スイッチトランジスタの入力端子に接続され、
第２段の正極性スイッチトランジスタの制御端子が第２段の制御線に接続され、第２段の正極性スイッチトランジスタの出力端子が第１のデータ線に接続され、
第２段の負極性スイッチトランジスタの制御端子が第２段の制御線に接続され、第２段の負極性スイッチトランジスタの出力端子が第２のデータ線に接続される。
【００６２】
好ましくは、正極性信号源は少なくとも２つの第１段の正極性スイッチトランジスタに対応し、負極性信号源は少なくとも２つの第２段の負極性スイッチトランジスタに対応し、
各第１段の正極性スイッチトランジスタが少なくとも２つの第２段の正極性スイッチトランジスタに対応し、各第１段の負極性スイッチトランジスタが少なくとも２つの第２段の負極性スイッチトランジスタに対応する。
【００６３】
好ましくは、データ線駆動回路は、１つの正極性信号源、１つの負極性信号源、２つの第１段の正極性スイッチトランジスタ、２つの第１段の負極性スイッチトランジスタ、２本の第１段の制御信号線、６つの第２段の正極性スイッチトランジスタ、６つの第２段の負極性スイッチトランジスタ及び６本の第２段の制御信号線を含む。
【００６４】
この好ましい実施例の液晶表示装置の具体的な動作原理は、上記液晶表示パネルの好ましい実施例について説明したものと同一又は類似であり、具体的には、上記液晶表示パネルの好ましい実施例の関連説明を参照する。
【００６５】
本発明の液晶表示パネル及び液晶表示装置は、第１のデータ線及び第２のデータ線の設置により走査線の数を効果的に減少させることにより、液晶表示パネルの狭額縁設計又はフレームレス設計を上手く実現し、従来の液晶表示パネル及び液晶表示装置の駆動回路が狭額縁設計又はフレームレス設計に大きな影響を与えるという技術的課題を解決することができる。
【００６６】
上述したように、本発明を好ましい実施例で以上のように開示したが、上記好ましい実施例は本発明を制限するものではなく、当業者は、本発明の精神から逸脱しない範囲内に、様々な変更及び修飾を行うことができるため、本発明の保護範囲は特許請求の範囲によって限定された範囲を基準とする。
【符号の説明】
【００６７】
Ａ１  正極性信号源
Ｂ１  負極性信号源
Ｑ１、Ｑ２  第１段の正極性スイッチトランジスタ
Ｑ３、Ｑ４  第１段の負極性スイッチトランジスタ
ａ１、ａ２  第１段の制御信号線
Ｑ１１、Ｑ１２、Ｑ１３、Ｑ２１、Ｑ２２、Ｑ２３  第２段の正極性スイッチトランジスタ
Ｑ３１、Ｑ３２、Ｑ３３、Ｑ４１、Ｑ４２、Ｑ４３  第２段の負極性スイッチトランジスタ
ａ３、ａ４、ａ５  第２段の制御信号線
【図１】
2019514077.tif 000003
【国際調査報告】
2019514077.tif 000004
2019514077.tif 000005
2019514077.tif 000006
2019514077.tif 000007